(57)【要約】      （修正有）【課題】自分のプロフィールを紹介する『名刺』や、相手に気持ちを伝える『メッセージカード』に、画像部分が「立ち上がる」「飛び出す」などの『立体的』な細工を施す事で、意外性や注視性を高め、会話のキッカケやコミュニケーションを深められる立体カードを提供する。【解決手段】カードの土台１Ｂと画像部分（似顔絵／写真）を別々に印刷し、画像部分２Ｂの周りのカット線をカッティングマシンに読み込ませ、画像の形にカットする。カットした画像を組立てた後、糊しろｂ，ｄを土台１Ｂに貼付けることで２つ折りの土台１Ｂを開くと画像２Ｂが飛び出す仕掛けとなる。紙面に『二次元コードやＵＲＬ検索マド』を印刷し、相手をネットメディアに誘導することも可能である。【選択図】図５
0003188967.tif 000002
【実用新案登録請求の範囲】
【請求項１】
見た目は１枚のカードだが、画像部分の周りにミシン目の加工を施し「立ち上げる」ことで、相手に意外性と注視性与え、通常の名刺やカードには無い個性をアピールできる『立体カード（立上がるタイプ）』であり、画像の周りのカット線はミシン目になっている為、手で簡単に型抜きができ、平面でありながら一部を立体とする事が出来る『立体カード』。
【請求項２】
見た目は単なる２ツ折りのカードだが、中面の指定箇所に画像部品に沿って型抜かれた画像部品を貼付けることで、表紙を開くと画像部分（似顔絵や写真）が「飛び出す」仕組みになっており、カードを開いた相手に驚きと注視性を与え、通常の名刺やカードには無い表現力と意外性からコミュニケーションを円滑にする『立体カード（飛び出すタイプ）』で、特に画像部分を「似顔絵」にした場合は、かなりインパクトがあり、様々な背景と組み合わせる事で、従来の似顔絵を使った名刺やカードとは一線を画した『立体カード』である。
【請求項３】
画像の周りの型抜き加工は、既存の型に印刷する方法ではなく、各似顔絵ごとにカット線をその都度、設定してカットするので、画像が際立ち、立体かつ存在感のある『立体カード』を実現し、更に『似顔絵』の「服装」や「背景部分」を様々なテンプレートから選ぶ事が可能な為、手間なくオリジナルの名刺やカードを注文でき、
土台部分や画像部分に『ＱＲコード』を記載し、カード内では表示しきれない情報を相手に発信が可能である。
【請求項４】
この立体カードは、開いたままの状態で透明なアクリルケースに入れると、フィギュア人形の様に、鑑賞を目的とした楽しみを得ることができる。背景画像、立体部分、多様なパーツを持つカードなため、立体の特性をさらに引き出すことができる。アクリルケースはカードがずれない様に留め部分がついている。そのため、逆さにしてもずれる事もない。そして留め部分からも、簡単にカードもはずして他の立体カードに差し替えの出来る専用のケースとなっている。
【請求項５】
この立体カードは、スマートフォンのアプリケーションと連動しており、あらかじめアプリケーションをダウンロードした端末でカードの画像部分を読み取ると、端末の画面内の画像から浮き出た様に動画が再生される。その動画をタップするとホームページやソーシャルネットメディアにリンクさせる事もできる。
【考案の詳細な説明】
【技術分野】
【０００１】  本商品は「カード」に「切抜き・貼付け」の加工を加え、『似顔絵や写真』が立体になる仕掛けが施されたカードに関するものです。
【背景技術】
【０００２】名刺の場合、営業やコミュニケーションのツールとして最も重要なアイテムであるが故、用紙を特殊なモノにしたり、似顔絵や写真入を入れたりと、他者と差別化を計るための名刺は多数存在している。
【先行技術文献】
【特許文献】
【０００３】
【特許文献１】  ・特許公開平９−２６３０７７号  ・登録実用新案第３１７０３６４号
【考案の概要】
【考案が解決しようとする課題】
【０００５】名刺の場合、限られたサイズや仕様の為、用紙の素材やデザインが斬新であっても相手への印象度はそれほど高くなく他者との大幅な差別化は難しい。
先攻技術文献の中に、今回提出する「立体カード」に似たような文献はあるが、形状や作成方法などが曖昧で実用性に欠る。形状の意外性だけでは、それ以上の発展性はなく、ユーザーの立場に立った機能とメリットが必要である。
【課題を解決するための手段】
【０００６】本考案品は一見は普通のカードだが、画像部分（似顔絵や写真）が、立ち上がったり、飛び出すなどの細工が施されているので、相手に強烈な印象を与える事で、他者の名刺との差別化を計る事ができる。その上、カードの制作に関しては、カッティングマシンを使用して部品を型抜きするので、従来と比較して簡単に『立体カード』を作る事ができる。更にユーザーは似顔絵キャラの服装や背景をお好みのテンプレートから自由に選択できるので、個性豊かなオリジナルカードを楽しみながら注文できる。この立体カードを専用ケースに入れる事により、まるでフィギアのようにディスプレイできる。そしてこのカードのもう一つのポイントは、スマートフォンのアプリケーションと連動しており、あらかじめアプリケーションをダウンロードした端末で似顔絵を読み取ると、端末の画面内の似顔絵部分から動画が再生される。画面をタップするとホームページやソーシャルネットメディアにリンクさせる事ができる。
この名刺を使用するメリットとしては、ネットメディアの入口となる『ＱＲコード』や『ホームページのアドレス』等の情報を紙面に記載する事で、ビジネスチャンスが上がる要素を付加している。
【図面の簡単な説明】
【０００８】
【図１】立体カード（立上がるタイプ）の通常時。
【図２】立体カード（立上がるタイプ）の画像を立ち上げた状態。
【図３】立体カード（飛出すタイプ）の通常時。
【図４】立体カード（飛出すタイプ）の画像が飛び出した状態と画像パーツ。
【図５】画像パーツの組立説明図と立体カード（飛出すタイプ）の側面図
【図６】様々なテンプレートの一例。
【図７】立体カード（飛出すタイプ）を立てたままケースに入れて飾った状態。
【図８】立体カードを折り曲げて装着する側面図。
【図９】カードとスマートフォンのアプリを連動させた図。
【考案を実施するための形態】
【０００９】名刺やカードに画像部分（似顔絵や写真）を含めたデザインを施し印刷する。その後、画像部分の周りのカット線をカッティングマシンに読み込ませ、加工が必要な箇所をカットする。「飛出すタイプ」のカードの場合には、更に土台と画像部分を別々に印刷と加工を施して貼り合わせる事でカードを開くと画像が飛び出す仕組みに仕立てる。
【実施例】
【００１０】  名刺やカードの土台（１Ａ，１Ｂ）に画像部分（似顔絵や写真）を含めたデザインを施し印刷する。その後、画像部分（２Ａ、２Ｂ）の周りのカット線をカッティングマシンに読み込ませ、画像の形にカットする。「立上がるタイプ」のカードの場合は、画像のカットの際にミシン目（４）で加工を行い画像足下にスジ（５）を入れる事で、［図２］のように、手で型抜きをした後に立ち上げて固定するという機能を持たせる。
「飛出すタイプ」のカードの場合は、［図４］２Ｂのように画像をカットし、［図５］のように組立てた後に（ｂ、ｄ）の糊しろを土台（１Ｂ）に貼付けることで［図４］のように２つ折りの土台（１Ｂ）を開くと画像（２Ｂ）が飛び出す。
【符号の説明】
【００１３】１Ａ・・土台部分（『立上がる』カード）    １Ｂ・・土台部分（『飛出す』カード）
２Ａ・・画像部分（『立上がる』カード）    ２Ｂ・・画像部分（『飛出す』カード）
３・・ＱＲコード（図４）    ４・・ミシン線（図１）
５・・折りスジ（図２）      ６・・背景部分（図４、図６）
７・・『飛出す』カード本体（図７、図８）
８・・カード本体を固定する留め具（図７、図８）
９・・タブレット端末（図９）
１０・・アプリによって再生される画像部分（図９）
ａ・・図５の「糊しろａ」    ｂ・・図５の「糊しろｂ」
ｃ・・図５の「糊しろｃ」    ｄ・・図５の「糊しろｄ」
【図１】
0003188967.tif 000003
【図２】
0003188967.tif 000004
【図３】
0003188967.tif 000005
【図４】
0003188967.tif 000006
【図５】
0003188967.tif 000007
【図６】
0003188967.tif 000008
【図７】
0003188967.tif 000009
【図８】
0003188967.tif 000010
【図９】
0003188967.tif 000011
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
画像部分が記載された1枚のカードであって、画像部分に沿ってミシン目加工を施し
手で型抜きをして立ち上げられる仕組みの立体カード。
【請求項２】
中面の指定箇所に画像部分に沿って型抜かれた画像部分を貼付けた二つ折りのカードで
あって、表紙を開くと中面に貼付けられた画像部分が飛び出す仕組みになっている、二つ折りのカード。
【請求項３】
複数の似顔絵の一つ、複数の服装の一つ、複数の背景の一つ、複数の土台デザインの一つからなる画像を有する請求項1または請求項2の立体カード。
【請求項４】
請求項2の立体カードを設置できる専用ケースは、台座の留め具に立体カードを開いたまま取り付け、取り外しができる、鑑賞と保管を目的としたケース。
【請求項５】
タブレット端末に専用のアプリケーションをインストールした後、画像部分に端末のカメラをかざすと、画面内の画像部分から写真や動画や３D映像が表示され、その写真や動画や映像を指でタップすると、ホームページやソーシャルメディアに繋がる機能を備えた、請求項２の立体カード。
【手続補正２】
【補正対象書類名】明細書
【補正対象項目名】０００６
【補正方法】変更
【補正の内容】
【０００６】
本考案品は一見は普通のカードだが、画像部分が、立ち上がったり、飛び出すなどの細工が施されているので、相手に強烈な印象を与える事で、他者の名刺との差別化を計る事ができる。その上、カードの制作に関しては、カッティングマシンを使用して部品を型抜きするので、従来と比較して簡単に立体カードを作る事ができ、更にユーザーは似顔絵キャラの服装や背景をお好みのテンプレートから自由に選択できるので、個性豊かなオリジナルカードを楽しみながら注文できる。
【手続補正３】
【補正対象書類名】明細書
【補正対象項目名】００１３
【補正方法】変更
【補正の内容】
【００１３】
1A・・・・土台部分（立ち上がるカード）
1B・・・・土台部分（飛び出すカード）
2A・・・・画像部分（立ち上がるカード）
2B・・・・画像部分（飛び出すカード）
3・・・・二次元コード（図３）
4・・・・ミシン線（図１）
5・・・・折りスジ（図２）
6・・・・背景部分（図５、図９）
7・・・・立ち上がるカード本体（図10、図11）
8・・・・カード本体を固定する留め具（図10、図11）
9・・・・タブレット端末（図12）
10・・・・ アプリによって再生される画像部分（図12）
a・・・・図７の「糊しろa」
b・・・・図７の「糊しろb」
c・・・・図７の「糊しろc」
d・・・・図７の「糊しろd」
【手続補正書】
【提出日】平成25年12月4日(2013.12.4)
【手続補正１】
【補正対象書類名】実用新案登録請求の範囲
【補正対象項目名】請求項２
【補正方法】変更
【補正の内容】
【請求項２】
中面の指定箇所に画像部分に沿って型抜かれた画像部分を貼り付け  た二つ折りのカードであって、表紙を開くと中面に貼付けられた画像部分が飛び出す仕組みになっている、二つ折りの立体カード。
【手続補正２】
【補正対象書類名】実用新案登録請求の範囲
【補正対象項目名】請求項３
【補正方法】変更
【補正の内容】
【請求項３】
複数の似顔絵、複数の服装、複数の背景、及び複数の土台デザインのテンプレートを備えており、各々の一つの画像選択することを特徴とする請求項１または請求項２の立体カード。